(57)【要約】【課題】    市販されている米は、単身生活を送る者等にとって適量ではないことが多かったし、炊飯の度毎に計量するということも面倒であった。更に米を商品として捉えた場合に、そのパッケージに工夫を凝らしたものが少なかった。【解決手段】  定量ずつ個包装された米を、複数個単位で包装して構成されるものであって、該個包装は紙製袋によってなされており、また該紙製袋の開口は、紙ひも製バンドによって閉じられ、旧来の３０ｋｇ入り紙製米袋のミニチュア形を呈している。【選択図】        図１
2007030907.tif 000002
【特許請求の範囲】
【請求項１】
定量ずつ個包装された米を、複数個単位で包装して構成されるものであって、該個包装は紙製袋によってなされており、また該紙製袋の開口は、紙ひも製バンドによって閉じられ、旧来の３０ｋｇ入り紙製米袋のミニチュア形を呈しているものであることを特徴とする米セット。
【請求項２】
該紙製袋の材料は、概ね矩形であってる２枚のクラフト紙の周囲のみを接着して張り合わせたものである請求項１記載の米セット。
【請求項３】
該個包装された米の量は、１合又は２合である請求項１又は２記載の米セット。
【請求項４】
個包装された定量の米を複数個単位で包装するのは、紙箱或いは透明プラスチック製袋である請求項１、２又は３記載の米セット。
【請求項５】
該複数個の紙製袋に収納される米は、それぞれの袋毎に異なる品種又は生産地のものであり、その旨が該紙製袋に印刷されて成る請求項１、２、３又は４記載の米セット。
【発明の詳細な説明】
【技術分野】
【０００１】
本発明は、少量ずつ個包装された米セットの構造に関するものである。
【背景技術】
【０００２】
現在流通している米は基本的に、３０ｋｇ、２０ｋｇ、１０ｋｇ、５ｋｇ、・・・、１ｋｇ、というふうに「ｋｇ」単位で包装されている。重量の大きい３０ｋｇ（時には２０ｋｇ）のものは通常、紙製袋に詰められて流通するが、最終的には販売メーカー、小売店等で小分けされることが多い。そして実際に消費者が手にするものは、プラスチック袋が主流となっている。この最終段階でも「ｋｇ」単位で詰められているが、現実の消費者は「合」単位で使用す場合がほとんどであり、また炊飯器の目盛も「合」単位炊飯を前提としているものが多い。
【０００３】
また、単身赴任者、独居老人、など日常的に一人で食事する人の数は相当あるが、彼らにとって市販されている米はほとんどの場合、量が多すぎる。
【０００４】
そこで、例えば実用新案登録第３０８０９９９号公報等に、軽量カップが不要であること、１合単位で開封できること、等を特徴とする米の包装形態が提案されている。
【特許文献１】実用新案登録第３０８０９９９号公報
【発明の開示】
【発明が解決しようとする課題】
【０００５】
一方で、米消費量の減少が深刻なものとなって久しい。理由の一つは、パン食、麺類食の浸透であるが、これを単に嗜好の変化に伴う必然と考えると、「米」に将来はない。パン食等の場合には、長年需要者の購買欲を刺激するような様々な手だてが講じられてきているが、米の場合にはそれが充分ではなかった、と考えるべきである。事実、米食の振興については、無洗米の出現といった工夫点も見られるし、種々のピーアールもなされているのであろうが概して述べれば、全業界挙げての単位の見直しが押し進められている昨今にあっても「炊飯」の現実が依然「合」単位であることを勘案し、家庭用炊飯器や米びつなどの機器が「合」単位炊飯に対応できているのにもかかわらず、かつては「升」単位「合」単位での販売であったものを、消費者の実体から目を背けこのハーモナイゼーションに安易に追従して「ｋｇ」単位と変更したことで消費者の利便を損なった、という経緯に代表されるように、米食の振興という点での足並みがとても揃っているとは言い難く、旧来の販売形態がただ続いているだけでほぼ無策という状況である。ただ、近時の健康食ブーム或いは美食志向の中、米食についても、麦入り米、雑穀入り米、生産地や農法が厳選された高級な米、希少な品種米、等が選択的に購入される場合があり、ここに一縷の希望はある。
【課題を解決するための手段】
【０００６】
以上のような状況に鑑み鋭意研究の結果、本発明者らは遂に本発明を完成させたものであり、その特徴とするところは、定量ずつ個包装された米を、複数個単位で包装して構成されるものであって、該個包装は紙製袋によってなされており、また該紙製袋の開口は、紙ひも製バンドによって閉じられ、旧来の３０ｋｇ入り紙製米袋のミニチュア形を呈している点にある。
【０００７】
即ち本発明は、重量の大きい３０ｋｇ入り米袋（紙ひも製バンド閉じタイプ）の形を模した同様の素材より成る小袋を複数個包装した米セットである。紙袋開口を紙ひも製バンドで閉じるという包装形態は、古くは様々なところで見られたが、機械による自動包装に向かないためか現在は米袋以外ほとんど目にすることがなくなっている。更に結び紐である「紙ひも製バンド」（以下紙バンドと呼ぶ）についても、ＪＩＳ（日本工業規格）による定義では「クラフトパルプを主体とする原紙でつくった紙ひもを合成樹脂などの接着剤によって並列帯状に固着させてつくる」となっているが、「紙製米袋を閉じるときに使う板状の紙紐」と説明するのが一番判りやすいのではないかと思われるほど、米袋以外では使用されることがない包装材料である。紙バンドによる米袋の閉じ方は、開口部を小幅で何度か折り込んだ後に結わえるというものであるので、現在となっては非常に個性的なデザインの封止構造となっている。
【０００８】
従って、３０ｋｇ入り米袋（紙バンド閉じタイプ）と同一又はこれに類似した色彩と材質の紙（更に、質感をより近づけるために２枚のクラフト紙を全面的には接着せず周囲のみ接着するという形で張り合わせたものを使用するといった工夫を加えると好適である）を用い、その上部開口を紙バンドで同じように閉じれば、消費者はそれを見ると直ちに米袋を想起する。本発明はこの点に着目したものである、と言える。なおここでいう「米」には、既述した「麦入り米」や「雑穀入りの米」も含むものとし、且つこれらの麦や雑穀の配合比率にはよらないものとする。
【０００９】
更に、利便性を勘案し１合或いは２合入りとし、また、品種や銘柄等の異なる米をそれぞれ収納することで、極めて魅力的な商品となる。幾つか例を挙げると、「島根県産コシヒカリ」と「鳥取県産コシヒカリ」、「広島県産コシヒカリ」をそれぞれ１合或いは２合程度ずつ紙袋に入れてこれら３袋で一商品とすれば、「近隣三県食べ比べ」といったものとなるわけであるし、特定地域で収穫される米、例えば「島根県産コシヒカリ１００％」「島根県産コシヒカリ８５％、島根県産赤米１５％」「島根県産コシヒカリ８５％、島根県産古代米１５％」を三種類詰めて商品とすれば、その地域（島根県）の特産物でありながらこれまで一般の土産物店に並ぶことがなかった「米」を、突然ヒット商品に押し上げることも可能である。
【発明の効果】
【００１０】
本発明に係る米セットは、以下述べる如き効果を有する極めて高度な発明である。
【００１１】
（１）  定量ずつ個包装されているので、取扱いやすい。特に「合」単位で１合、２合程度ずつ包装されていると、炊飯の際の計量が不必要となる。
（２）  紙バンドで閉じ紙袋内に収納されているので、一見して内容物が「米」であることが判る。
（３）  印刷その他を工夫すれば、従来の米袋と見た目そのままのミニチュアとなり、これを例えば高速道路サービスエリア、道の駅、土産物店等に配置すれば、個性的な土産となる。
【発明を実施するための最良の形態】
【００１２】
以下図面に基づき本発明を更に詳細に説明する。
【実施例１】
【００１３】
図１は、本発明に係る米セット１（以下「本発明米セット１」という）の一例を示すものである。図より明らかなように本例の本発明米セット１は、三個の米袋体２と、これらを包装する包装袋３とにより構成されている。本例では三個としているが、二個、或いは四個以上であっても良い（図示せず）。また包装袋３は、本例では無色透明のポリエチレン製のものを採用したが、他のプラスチックを採用しても良いし、袋内に納めず紙箱に詰めるようにしても良い（図示せず）。
【００１４】
三個の米袋体２はいずれも、紙製袋２１と、紙ひも製バンド２２（以下紙バンド２２という）より構成されておりこの構造は、３０ｋｇ入りに代表される大型の米袋と同様のものである。即ち図２（ａ）に示すように、紙バンド２２の両端を残す形でこれを紙製袋２１の開口部周縁のほぼ１／２周だけ接着した構造である。ここに米を同図（ｂ）の如く設定量入れ、同図（ｃ）の如く開口部を小幅で数回折り畳み、紙バンド２２を結着すれば包装が完了する。
【００１５】
紙製袋２１は大型の米袋と同様、未さらしクラフトパルプより成るクラフト紙であり、表側面には稲穂のイラストや銘柄・産地等が印刷されており、裏側面には表欄が印刷されここに名称・減量玄米・内容量・販売者名が印刷され、精米年月日欄には日付がスタンプされるようになっている。このような記載は大型の米袋と同じ形態であるので、商品として非常に目を引くものとなっている。
【００１６】
また本例の紙製袋２１は、図３に示すように、２枚のクラフト紙２３、２３（同一の大きさの矩形）の周囲のみを予め接着したものを袋に組み立てたものであり、こうすることにより大型の米袋に近い質感の袋となる。この紙の組み立て方自体は、従来と全く同一である。
【図面の簡単な説明】
【００１７】
【図１】本発明に係る米セットの一例の全体形状を示す概略斜視図である。
【図２】（ａ）（ｂ）（ｃ）は本発明に係る米セットの米袋体への米の収納方法を概略的、経時的に示すいずれも概略斜視図である。
【図３】本発明に係る米セットの紙製袋の素材の構造を示す概略分解斜視図である。
【符号の説明】
【００１８】
１    本発明に係る米セット
２    米袋体
２１  紙製袋
２２  紙ひも製バンド
２３  クラフト紙
３    包装袋
【図１】
2007030907.tif 000003
【図２】
2007030907.tif 000004
【図３】
2007030907.tif 000005